(57)【要約】【課題】体の前面を広く覆うことができるロングエプロンとしても、腰から下を前掛け式に覆うことができるショートエプロンとしても使用ができる着脱容易な長短両用エプロンを提供すること。【解決手段】開閉自在となる欠円形のリングホルダーを挿通した上縁部を胴回り個所に水平状に取り付け可能とした前掛け布と、上部に首掛け紐を取り付け、下縁部を前記前掛け布に縫着した胸当て布で構成する。胸当て布がリングホルダー個所を支点として前掛け布の内側に折り畳み自在となる。【選択図】図２
2014177730.tif 000002
【特許請求の範囲】
【請求項１】
合成樹脂を素材とし、その弾性を利用して開閉自在となる欠円形のリングホルダーを挿通した上縁部を胴回り個所に水平状に取り付け可能とした前掛け布と、
上部に首掛け紐を取り付け、下縁部を前記前掛け布に縫着した胸当て布で構成し、該胸当て布がリングホルダー個所を支点として前掛け布の内側に折り畳み自在となるものであることを特徴とする長短両用エプロン。
【請求項２】
前記胸当て布が、前掛け布の横幅よりも狭く形成されたものであることを特徴とする請求項１記載の長短両用エプロン。
【請求項３】
リングホルダーを開いて胴回り個所にあてがい、首掛け紐を首に掛装すると胸当て布と前掛け布によって体の前面を覆うことができてロングエプロンとして使用できることを特徴とする請求項１又は２記載の長短両用エプロン。
【請求項４】
首掛け紐とともに胸当て布を前掛け布の内側に折り畳んでリングホルダーを胴回り個所にあてがうと、腰から下を覆うことができてショートエプロンとして使用できる請求項１又は２記載の長短両用エプロン。
【請求項５】
前掛け布の任意個所に片方の面ファスナーを固着し、ポケット布の背面に他方の面ファスナーを固着し、双方の面ファスナーを接合してポケット布を前掛け布の前面に取り付けることを特徴とする請求項１〜４のいずれかに記載の長短両用エプロン。
【発明の詳細な説明】
【技術分野】
【０００１】  本発明は、首に掛けて体の前面を広く覆うエプロンと、胴回りにあてがって腰から下部分を覆う前掛けエプロンの両用を可能とした着脱容易な長短両用エプロンに関する。
【背景技術】
【０００２】  体に簡単に取り付けられるエプロンとして合成樹脂からなる欠円形のリングを布材の上端部に取り付けて首周りや胴回りに着脱自在としたもの（例えば特許文献１〜４参照）や、面ファスナーの接着機能を利用して着脱を容易にする構成のエプロンが従来少なからず提案されている。これらはなべてエプロン着用時に手間がかからないようにした簡単な構造のものであり、ポケットを取り付けたり絵柄を付して機能性と見た目を強調するものも散見されるが、いずれにしても首掛け式にして割烹着のように全身の身丈に合うような長さにするか、前掛けのように胴回りに取り付けるもの、あるいは幼児童・障害者・高齢者等が食事時に汁物などの食べこぼしが衣服に付着しないように工夫したものなどに大別される。
【先行技術文献】
【特許文献】
【０００３】
【特許文献１】特開２０１１−１６６０号公報
【特許文献２】登録実用新案第３０６３５５２号公報
【特許文献３】登録実用新案第３０９７４８５号公報
【特許文献４】登録実用新案第３１３８９８２号公報
【発明の概要】
【発明が解決しようとする課題】
【０００４】  エプロン主体の首周り個所に復元力を有する弾性の芯材を挿通して使用者の首にエプロンを容易に取り付けできる技術が従来より開示されている。いずれも高齢者等が洗面、食事をする際にエプロンを首周りに簡単に取り付けできるように配慮したものであり、取り外しも容易なため余計な手間をかけずに取り扱いできることも理解されるが、弾性の芯材部分がエプロン布と面一状に取り付けられているため首に着装すると多少の圧迫感と、また芯材には合成樹脂ワイヤーを使用するため素材の硬固感が首周り皮膚に接触し感触に違和感を生ずるという懸念を払拭できない（特許文献１、２参照）。【０００５】  胴回りに取り付けるワンタッチ式のエプロンは、エプロン布の上面に伸縮開閉式のリング状ホルダーを水平に取り付けたことを特徴としており、着用時に一旦ホルダーを開いて胴回りにあてがえば素材の復元性によってホルダーが閉じてエプロンが瞬時に当該個所に取り付けできる利点がある（特許文献３、４参照）。この技術は前記特許文献１、２とは異なりホルダーがそのまま向きを変えないで胴回りに取り付けられるものであり（特許文献４には首周りにも取り付けできることが開示されている）、着用者にとって取り扱い容易性に優れることは首肯できるが、胴回りに取り付けるものは腰下個所を覆うことを目的とし、また首周りに取り付けるエプロンは首から下の個所を覆うこともできてそれなりの働きをするが、いずれもエプロン布の長さ・形状は定まったものであり、首掛け式のものを胴回り式のものとして使用はできず、また胴回り式のものを首掛け式に使用することはできないという問題がある。【０００６】  本発明はこのような従来技術に鑑みなされたもので、体の前面を広く覆うことができるロングエプロンとしても、腰から下を前掛け式に覆うことができるショートエプロンとしても、随時随所で任意の使用ができ然も着脱が容易な長短両用エプロンを提供することを目的としている。
【課題を解決するための手段】
【０００７】  そして課題を解決するための手段として、本発明に係る長短両用のエプロンは、合成樹脂を素材とし、その弾性を利用して開閉自在となる欠円形のリングホルダーを挿通した上縁部を胴回り個所に水平状に取り付け可能とした前掛け布と、
上部に首掛け紐を取り付け、下縁部を前記前掛け布に縫着した胸当て布で構成し、該胸当て布がリングホルダー個所を支点として前掛け布の内側に折り畳み自在となるものであることを主旨とする。【０００８】  前記胸当て布が、前掛け布の横幅よりも狭く形成されたものであることを特徴とする。【０００９】  リングホルダーを開いて胴回り個所にあてがい、首掛け紐を首に掛装すると胸当て布と前掛け布によって体の前面を覆うことができロングエプロンとして使用できる。【００１０】  首掛け紐とともに胸当て布を前掛け布の内側に折り畳んでリングホルダーを胴回り個所にあてがうと、腰から下を覆うことができてショートエプロンとして使用できる。【００１１】  前掛け布の任意個所に片方の面ファスナーを固着し、ポケット布の背面に他方の面ファスナーを固着し、双方の面ファスナーを接合してポケット布を前掛け布の前面に取り付けると着脱自在のポケットが完成し、小物の収納・取り出しをするのに都合がよい。
【発明の効果】
【００１２】  本発明のエプロンは長短両用を可能としているため必要に応じていずれを使用することもできる。すなわち胸元から腰下までの個所を広く覆うには首掛け紐を首に掛装し、リングホルダーを胴回りにあてがえばよく、こうすることで胸当て布と前掛け布が連続的面一状となってロングエプロンが遅滞なく取り付けでき、料理・洗濯・介護その他の作業に速やかに取り掛かることができ、使用後の取り外しも簡単にできる。【００１３】  また腰から下を覆うだけの場合は胸当て布を前掛け布の内側に折り畳むようにする。リングホルダーを支点として胸当て布は前掛け布の内側に収納されるため、この状態でリングホルダーを胴回りに取り付ければ前掛け布のみによって腰下が覆われ通常のショートエプロンとして機能させることができる。この場合当然ながら前掛け布内に位置する胸当て布は外見されることがないため体裁もよく、通常の前掛けとして着用者も違和感をもつことなく作業することができる。
【図面の簡単な説明】
【００１４】
【図１】リングホルダーを広げて示したエプロンの正面図である。
【図２】リングホルダーが自然収縮したエプロンの正面図である。
【図３】図２に示したエプロンの背斜視図である。
【図４】ロングエプロンとして着用した使用状態図である。
【図５】胸当て布を前掛け布内に折り畳んだ概略図である。
【図６】ショートエプロンとして着用した使用状態図である。
【発明を実施するための形態】
【００１５】  図１は欠円形のリングホルダー１を直線状に広げて示した本発明のエプロンＡを示すもので、リングホルダー１は合成樹脂製の弾性に富む素材を利用した欠円形のもので、本来は復元力により渦巻状に自然収縮するが説明の便宜上広げて示してある。このリングホルダー１は前掛け布２の上縁部３に抜挿自在に取り付けるもので、そのために上縁部３には縫製によって挿通孔（図を省略）が形成されている。
【００１６】  前掛け布２の上部には、該前掛け布よりも横幅を狭くした台形状の胸当て布４を設けてある。胸当て布４の下縁部５は前掛け布２の上縁部３に縫着されていて両布２、４は図示のように上下に連続しほヾ面一状となっている。そして胸当て布４の上縁部にはバッグベルトのように長さ調節のできる首掛け紐６が取り付けられているため頭の大きさに応じてあらかじめ調節しておけばワンタッチで首掛けできる。
【００１７】  図２はリングホルダー１を自然収縮させたエプロンＡを示すもので、前掛け布２は円筒状となり胸当て布４も下方が円筒状となり、全体が丸みを帯びた細形状の外観を呈する。すなわち図３のように、収縮したリングホルダー１は渦巻き状となるため前掛け布２の両側が重ね合わさって閉塞する形となるものであり、通常はこのようにリングホルダ−１の弾性により両布２、４は縮径状態となっている。
【００１８】  図４はエプロンＡの使用状態を示すもので、リングホルダー１を開いて胴回り個所にあてがうと、素材の弾性により内方への復元力が働いて一旦開いたリングホルダー１は胴回り個所に水平に確固密着してずれる心配がなく、リングホルダー１の下部にある前掛け布２が垂直に下がり腰下を覆う。そして首掛け紐６を頭から首にかけて掛装すると胸当て布４が首下から胸元を覆い、前掛け布２と一体となるためエプロンＡが体の前面に位置し通常のロングエプロン同様に使用できる。なお上記とは逆の順序すなわち首掛け紐６を掛装したあとでリングホルダー１を胴回り個所に取り付けるようにすることでも一向に差し支えはない。リングホルダー１の両端は胴部の横又は後方で止まる。
【００１９】  図５は首掛け紐６とともに胸当て布４を前掛け布２の内側に折り畳んで収納した図である。胸当て布４は下縁部５が前掛け布２の上縁部３に縫着されていてリングホルダー１の個所で折り曲げ自在となっているのと前掛け布２よりも横幅を狭く形成してあるためリングホルダー１を支点にすると前掛け布２の内側に容易に納まり、したがってロングエプロンでは中間部にあったリングホルダー１が前掛け布２の上端部に位置することになる。
【００２０】  図６は前記胸当て布４を前掛け布２内に収納したエプロンＡを、胴回り個所に取り付けてショートエプロンとした着用状態を示す。上端部のリングホルダー１を一旦開いて胴回り個所に水平にあてがうと、閉方向へと働く素材の復元力によってリングホルダー１は胴回りに緊密に取り付けられてずれることがなく、水平状のリングホルダー１に対し前掛け布２が垂直に垂れ下がり通常の前掛け仕様とすることができる。胸当て布４は前掛け布２内に位置するため汚れるおそれや作業をする際の邪魔になるといった懸念は生じない。
【００２１】  従来エプロンには作業の利便性を考慮して前掛け個所等にポケットを設けたものがあり、それらはあらかじめ縫製作業によっている。本発明エプロンでも同じ要領でポケットを取り付けることは当然として、必要に応じ別体のポケット布７の取り付けを可能とした。この場合前掛け布２の任意個所とポケット布７の背面に夫々面ファスナー８を固着しておくと、双方の面ファスナー８を接合すればポケット布７が前掛け布２の前面に取り付けられるものであるが、こうすることでポケット布７の取り付け、取り外しが容易となる。この場合面ファスナー８はポケット布７の上部横幅方向に沿う位置にすることで足り、固着手段は縫製・融着いずれでもよい。
【００２２】  本発明ではエプロンを長短いずれの使用も可能としたものであるから、従来のように双方を作製するうえでの必要な手間と費用がかかることもなく一石二鳥的効果が所期される。そして胸当て布４を着用するにあたっては首掛け紐６を用いるため首皮膚に直接してもソフト感があり、合成樹脂リングを芯材とするような硬固感は回避される。しかして上記の説明及び図示したところは一例であり、本発明の目的効果を奏する範囲における付加・変更事項等も本発明の実施の範疇に属するものである。
【符号の説明】
【００２３】  Ａ  エプロン
１  リングホルダー
２  前掛け布
３  上縁部
４  胸当て布
５  下縁部
６  首掛け紐
７  ポケット布
８  面ファスナー
【図１】
2014177730.tif 000003
【図２】
2014177730.tif 000004
【図３】
2014177730.tif 000005
【図４】
2014177730.tif 000006
【図５】
2014177730.tif 000007
【図６】
2014177730.tif 000008